(57)【要約】  突出布地ゾーン（２０）と、突出布地ゾーンの間に陥凹布地ゾーン（３０）とを備えた、弾性的に変形可能な布（１５）を含む化粧用物品（１）であって、この布（１５）は、化粧品組成物（Ｃ）を塗布する、取り出す、または分配するための表面（１７）を画定しており、陥凹布地ゾーン（３０）は組成物（Ｃ）に透過性である、化粧用物品（１）。
2021519174.tif 000002
【特許請求の範囲】
【請求項１】
突出布地ゾーン（２０）と、前記突出布地ゾーン（２０）の間に陥凹布地ゾーン（３０）とを備えた弾性的に変形可能な布（１５）を含む化粧用物品（１）であって、前記布（１５）が、化粧品組成物（Ｃ）を塗布する、取り出す、または分配するための表面（１７）を画定し、前記陥凹布地ゾーン（３０）が、前記組成物（Ｃ）に対し透過性であることを特徴とする、化粧用物品（１）。
【請求項２】
少なくとも１つの陥凹布地ゾーン（３０）が、突出布地ゾーン（２０）によって完全に囲まれていることを特徴とする、請求項１に記載の化粧用物品。
【請求項３】
前記突出布地ゾーン（２０）は、特に格子またはハニカムの形状の、規則的な幾何学的パターンを形成していることを特徴とする、請求項１または２に記載の化粧用物品。
【請求項４】
前記陥凹布地ゾーン（３０）は、前記布の弛緩状態において、１ｍｍから２０ｍｍの間、特に、２ｍｍから７ｍｍの間または３ｍｍから６ｍｍの間の最大寸法（Ｄ１）を有していることを特徴とする、請求項１から３のいずれか一項に記載の化粧用物品。
【請求項５】
２つの隣接する陥凹布地ゾーン（３０）を分離している、前記突出布地ゾーン（２０）の部分の幅（Ｌ）が、前記布の弛緩状態において、１.５ｍｍから５ｍｍの間、特に２ｍｍから４ｍｍの間であることを特徴とする、請求項１から４のいずれか一項に記載の化粧用物品。
【請求項６】
前記布（１５）は、特に、編むまたは織ることにより、好ましくは編むことにより、一体に作製されていることを特徴とする、請求項１から５のいずれか一項に記載の化粧用物品。
【請求項７】
前記布（１５）は糸で形成されており、前記突出布地ゾーン内の糸密度が、前記陥凹布地ゾーン内の糸密度よりも高いことを特徴とする、請求項１から６のいずれか一項に記載の化粧用物品。
【請求項８】
前記突出布地ゾーンの高さ（ｈ）が、約０.２ｍｍから８ｍｍの間、特に約０.２ｍｍから３ｍｍの間であることを特徴とする、請求項１から７のいずれか一項に記載の化粧用物品。
【請求項９】
前記布（１５）が、少なくとも１つの弾性糸および少なくとも１つの非弾性糸を用いて製造されていることを特徴とする、請求項１から８のいずれか一項に記載の化粧用物品。
【請求項１０】
前記布（１５）が、ポリアミド、エラステイン、ポリエステル、アクリル、ビスコース、アセテートなどの合成繊維と、絹、毛、綿、麻、大麻などの天然繊維と、それらの組合せとから成る群から選択される繊維を用いて製造されている糸を含んでなることを特徴とする、請求項１から９のいずれか一項に記載の化粧用物品。
【請求項１１】
前記布（１５）は、合成繊維の混合物、特にポリアミドとエラステインとを含み、ポリアミドの質量割合が、前記布の全質量に対して、特に５０%よりも高く、好ましくは６０%よりも高く、特に７０%よりも高いことを特徴とする、請求項１０に記載の化粧用物品。
【請求項１２】
少なくとも１つの方向における前記布（１５）の伸び率が９０%から２３０%の間であることを特徴とする、請求項１から１１のいずれか一項に記載の化粧用物品。
【請求項１３】
前記突出布地ゾーン（２０）は、それらのレリーフにより、前記布（１５）の裏側（１８）上にポケット（２１）を形成していることを特徴とする、請求項１から１２のいずれか一項に記載の化粧用物品。
【請求項１４】
前記突出布地ゾーン（２０）は、断面において、前記組成物を塗布する、取り出す、または分配するための前記表面（１７）に向かって凸状であり、特に丸形の凸外形である外形を形成していることを特徴とする、請求項１から１３のいずれか一項に記載の化粧用物品。
【請求項１５】
前記布（１５）が単層の布であることを特徴とする、請求項１から１４のいずれか一項に記載の化粧用物品。
【請求項１６】
前記布（１５）が、前記布（１５）の裏側（１８）から下位のフィラメントに直接接続されていないことを特徴とする、請求項１から１５のいずれか一項に記載の化粧用物品。
【請求項１７】
前記化粧品組成物（Ｃ）と接触していることを特徴とする、請求項１から１６のいずれか一項に記載の化粧用物品。
【請求項１８】
フレーム（４０）を含み、特に前記布（１５）が前記組成物（Ｃ）に押し付けられることにより前記組成物（Ｃ）が前記布（１５）を通過することができるように、前記布（１５）が、特にピンと張った状態で、前記フレーム（４０）により前記組成物（Ｃ）のリザーバ（１０）の上方に保持されていることを特徴とする、請求項１７に記載の化粧用物品。
【請求項１９】
前記布（１５）は、特にフィラメント（１３）に形成されたスペーサにより共に結合されている第１の層（１１）と第２の層（１２）とを含むアセンブリを覆っており、前記フィラメント（１３）の端部が第１の層（１１）および第２の層（１２）にそれぞれに接続されており、前記第１の層（１１）が少なくとも前記化粧品組成物（Ｃ）に透過性であり、特に当該化粧用物品（１）が使用されている間、前記第１の層（１１）および前記第２の層（１２）は互いの間に前記組成物（Ｃ）の少なくとも一部を保持することができることを特徴とする、請求項１７に記載の化粧用物品。
【請求項２０】
前記布（１５）が、下位の構造体（３５）に、特に前記化粧品組成物（Ｃ）を含浸させたスポンジに、接着により固定されていることを特徴とする、請求項１７に記載の化粧用物品。
【請求項２１】
前記化粧品組成物（Ｃ）を含有するハウジングを有する本体（３）を備えたケース（２）を含み、前記布（１５）が前記化粧品組成物（Ｃ）の上方に配設されており、前記ケース（２）が、前記本体（３）と協働するように設計されている蓋部（５）を含むことを特徴とする、請求項１から２０のいずれか一項に記載の化粧用物品。
【請求項２２】
化粧品組成物アプリケータを形成していることを特徴とする、請求項１から１６のいずれか一項に記載の化粧用物品。
【発明の詳細な説明】
【技術分野】
【０００１】
本発明は、化粧品の分野に関し、より詳細には、限定はしないが、人間のケラチン物質、特に皮膚をメイクアップすることまたはケアすることを対象とする化粧用物品に関する。
【背景技術】
【０００２】
多孔質構造に化粧品組成物を含浸させることは知られており、製品を載せるために、指またはアプリケータを前記多孔質構造と接触させることが可能である。
【０００３】
多数の特許出願公報が、この種の化粧用物品に取り組んでいる。
【０００４】
特に、一方の面がスクリーンで覆われた、不織布で構成されている繊維マットを含む物品を開示している特許文献１（国際公開第２０１７／０１６６０８号）が挙げられる。
【０００５】
この種の物品に生じる問題は、大量の組成物を保存すること、および使用中に漸進的かつ可能な限り完全にそれを復元することの能力など、様々なパラメータ間で見つける必要がある妥協点、ならびにすべてが小さい全体サイズと大規模販売の要件に適合する製造コストとを有する、形状記憶および可変粘度の組成物を受容する能力から利益を得ることの必要性である。
【０００６】
さらに、化粧品との皮膚接触がユーザにとって心地良い、組成物の取出し、分配または塗布とを可能にする化粧用物品を提供する必要がある。
【先行技術文献】
【特許文献】
【０００７】
【特許文献１】国際公開第２０１７／０１６６０８号
【特許文献２】国際公開第２０１２／１５３１３１号
【特許文献３】欧州特許出願公開第１８６３９５９号明細書
【発明の概要】
【発明が解決しようとする課題】
【０００８】
本発明は、化粧品組成物を含有するリザーバを有する化粧用物品をさらに改善することを目的としている。
【０００９】
本発明のさらなる目的は、アプリケータとして使用され得る化粧用物品を提案することである。
【課題を解決するための手段】
【００１０】
化粧品
したがって、第１の態様によれば、本発明は、突出布地ゾーンと、突出布地ゾーンの間に陥凹布地ゾーンとを備えた、弾性的に変形可能な布を含む化粧用物品であって、この布は、化粧品組成物を塗布する、取り出す、または分配するための表面を画定しており、陥凹布地ゾーンは組成物に透過性である、化粧用物品に関する。
【００１１】
本発明により、布の表側に、異なる塗布の性質を有する２つのゾーンすなわち陥凹布地ゾーンおよび突出布地ゾーンを有する布が設けられる。異なる布地ゾーンは共に、陥凹布地ゾーンにより形成されている中空部と突出布地ゾーンにより形成されているドーム部とを備えたレリーフを形成している。このことは心地良い感触をもたらし、組成物を取り出し、計り出すことをより容易にすることができる。
【００１２】
さらに、流体としても知られている組成物は、それが陥凹ゾーン内に集まっているので、表面において直接利用可能である。流体は平らな状態である。これにより、流体のより良い分配が確実にされ得る。必要なすべてのことは、特に液体組成物に関して、溜まりを形成することなくより広く含浸させるために、若干の圧力をかけることである。流体はより均一に分配される。スクリーンと比較すると、スクリーンには含浸しない。本発明では、物品は表面リザーバとしての機能を果たし、流体により通過される。
【００１３】
布により画定されている表面は、化粧品組成物を塗布することを、しかし変形形態として、化粧品組成物を取り出すことまたは分配することも可能にする表面である。したがって、この表面は、塗布表面、取出し表面、または分配表面であると理解されるべきである。布は弾性的に変形可能であるので、それは、一定の形状記憶を保ちながら、製品が取り出される時に容易に変形することができる。
【００１４】
突出布地ゾーンは組成物に透過性であってもよい。
【００１５】
布はリバーシブルでないことが好ましく、布の２つの面のうちの１つだけが塗布表面、取出し表面、または分配表面、すなわち布の表側を形成していることを意味する。
【００１６】
少なくとも１つの陥凹布地ゾーンが突出布地ゾーンにより全体的に取り囲まれていることが好ましい。変形形態として、陥凹布地ゾーンが突出布地ゾーンにより全体的に取り囲まれていない。陥凹布地ゾーンはすべて互いに同一であってもよい。少なくとも１つの陥凹布地ゾーンが、円、長円、アーモンド、多角形の形状、特に菱形、四角形、矩形、または任意の他の形状であってもよい。各布地ゾーンの形状は、それが少なくとも１つの軸対称を有するようであってもよい。陥凹布地ゾーンは平坦であってもよい。それらは全く同一の平面内に延在していてもよい。陥凹布地ゾーンは中空セルを形成していてもよい。
【００１７】
突出布地ゾーンは、特に格子またはハニカムの形の、規則的な幾何学的パターンを形成していることが有利である。このパターンは布の全体またはその一部のみを占めていてもよい。変形形態として、突出布地ゾーンにより形成されているパターンは規則的でない。
【００１８】
突出布地ゾーンは、それらのレリーフにより、布の裏側、すなわち塗布表面、分配表面、または取出し表面の布の反対側に、ポケットを形成していてもよい。突出布地ゾーンは平坦でないことが好ましい。突出布地ゾーンは、断面において、組成物を塗布する、取り出す、または分配するための表面に向かって凸状の外形、特に丸形の凸外形、たとえば半長円、半円、楕円、パラボラ、または他の丸形を形成していることが有利である。
【００１９】
突出布地ゾーンは、たとえば第１のメッシュ構造のメッシュを形成しており、一方、陥凹布地ゾーンはメッシュ間の空間を占めており、第１のメッシュ構造よりもさらに開いておりかつ多孔質であることが有利である第２のメッシュ構造を有することが好ましい。突出布地ゾーンは共に接続されていてもよく、陥凹布地ゾーンは互いに隔絶されていてもよい。
【００２０】
突出布地ゾーンおよび陥凹布地ゾーンは、織ることまたは編むことにより、好ましくは編むことにより、製造されることが有利であり、解くことができる編みが縦編み機またはラッセル（Raschel）編み機上で、または任意の他の編み工程で実施されることが好ましい。布は、織り布が突出布地ゾーンと陥凹布地ゾーンとを含んで、一体で製造されることが有利である。
【００２１】
陥凹布地ゾーンは、布の平面に、布の弛緩状態において、１ｍｍから２０ｍｍの間、好ましくは２ｍｍから７ｍｍの間、特に３ｍｍから６ｍｍの間の最大寸法を有していてもよい。
【００２２】
２つの隣接する陥凹布地ゾーンを分離する、突出布地ゾーンの部分の幅は、布の弛緩状態において、好ましくは１.５ｍｍから５ｍｍの間、特に２ｍｍから４ｍｍの間である。
【００２３】
布は糸で形成されている。突出布地ゾーン内の糸密度は陥凹布地ゾーン内の糸密度よりも高いことが有利である。突出布地ゾーンはこのように陥凹布地ゾーンよりも密なメッシュを有する。縫製パターンは、突出布地ゾーンと陥凹布地ゾーンとの間の密度の差にかかわらず、これらの異なるゾーンに関して同一である可能性がある。この場合、組成物に対する陥凹布地ゾーンの透過性は、突出布地ゾーンの透過性よりも高い。
【００２４】
突出ゾーンの高さは、たとえば、約０.５ｍｍから８ｍｍの間、特に０.５ｍｍから３ｍｍの間である。
【００２５】
布は、特にエラステインの少なくとも１つの弾性糸と、少なくとも１つの非弾性糸とを用いて製造されてもよい。布は、特に、ポリアミド、エラステイン、ポリエステル、アクリル、ビスコース、アセテートなどの合成繊維および／または超極細繊維と、絹、毛、綿、麻、大麻、およびそれらの混合物などの天然繊維ならびに／または超極細繊維とから成る群から選択される繊維および／または超極細繊維を用いて製造される糸を含む。布は、合成繊維および／または超極細繊維、特にポリアミドおよびエラステイン、の混合物を含むことが好ましく、ポリアミドの質量割合は、特に５０%よりも大きく、好ましくは６０%よりも大きく、特に７０%よりも大きい。布は、たとえば７２質量%のポリアミドおよび２８質量%のエラステインで、ポリアミドおよびエラステインの超極細繊維で作製されている糸混合物を含む。
【００２６】
布の構成材料は、塗布表面上に絹のような感触をもたらすように選択されることが好ましく、これはユーザにとって非常に柔らかい。特に、超極細繊維の存在はこの感覚の利点を得ることを可能にする可能性がある。
【００２７】
布の構成材料は布に弾性をもたらすように選択されることが有利である。特に、エラステインの存在は、特に組成物を取り出すために布が押圧された時、その変形に有利に働き、同時に布がその形状記憶のお蔭でその最初の形状にすぐに戻ることを可能にする。
【００２８】
布の伸び率は、少なくとも１つの次元において、９０%から２３０%の間であることが好ましい。伸び率を測定するために、動力計が利用されることが可能であり、それにより横糸方向および縦糸方向の引張力を測定することが可能になる。変形形態として、手作業で伸び率を測定することが可能であり、そして手作業の引張は、布に張力をかけている人によってかけられる力に応じて変化する。
【００２９】
化粧用物品は、たとえばリザーバ内に含有されている化粧品組成物と接触していてもよい。この場合、布は不使用時および使用中のいずれにおいても果たすべき役割を持つ。
【００３０】
不使用時、布はスクリーンとしての役割を果たす。それは、特に組成物に当接して布に圧力がかけられた時、化粧品組成物により通過され得る。その構造の理由でかつ毛細管作用により、布は、特に、突出布地ゾーンにより布の塗布表面の反対面すなわち布の裏側上に形成されているポケット内に配置されるようになる組成物を集めることができ、それにより表面リザーバを形成し、その後、十分な取出しを確実にし得る。化粧品組成物は、表面に、中空布地ゾーンにより形成されているセル内にかつ突出布地ゾーンにより布の裏側上に形成されているポケット内に存在する。
【００３１】
使用中、ユーザの指でまたはアプリケータを活用して、ユーザは、組成物を取り出すために布に圧力をかける。より透過性であることが好ましい陥凹布地ゾーンは、組成物がリザーバから塗布表面へ通過するゾーンを形成している。特に陥凹布地ゾーンの布のメッシュは、伸び、開き、組成物が通過することを可能にする。布が伸びた状態で、それは変形し、そのレリーフは平らになり、それにより布が不使用時にあった場合、ポケットの容積を減少させる。これらのポケット内に最初に含有されている組成物は、このように塗布表面上に解放されるが、溢れ出ることまたは溢れることはない。
【００３２】
同様に組成物に透過性であってもよい突出布地ゾーンは、特に、アプリケータまたはユーザの指と接触している前記表面の一部を形成しており、陥凹布地ゾーンへのアクセスはそれほど接近していない。突出布地ゾーンは、たとえば超極細繊維の存在により、手触りが良い感触を有していてもよい。
【００３３】
物品が化粧品組成物と接触している場合、それはフレームを有していてもよく、そして、特に布が組成物に押し付けられることにより、組成物が布を通過し得るように、布はフレームにより組成物のリザーバの上方に、随意にピンと張った状態で保持される。
【００３４】
変形形態として、さらに物品が化粧品組成物と接触している場合、布は、特にフィラメントに形成されたスペーサにより共に結合されている第１の層と第２の層とを含むアセンブリを覆っていることがあり、フィラメントの端部は第１の層および第２の層にそれぞれに接続されており、第１の層は化粧品組成物に少なくとも透過性であり、特に物品が使用されている間、第１の層および第２の層は互いの間に組成物の少なくとも一部を保持することができる。この場合、布は、アセンブリ、特にアセンブリの第１の層に固定されても、固定されなくてもよい。固定される場合、これは、接着、溶接、縫製、または何らかの他の固定手段により実現されてもよい。アセンブリは化粧品組成物の予備を形成し得る。フィラメントは、編むことにより、または何らかの他の方法で、第１の層および第２の層に固定されてもよい。
【００３５】
さらに物品が化粧品組成物と接触している場合、別の変形形態によれば、また、布は、特に接着により、下位の構造体（underlying structure）に、特に化粧品組成物を含浸させたスポンジに固定されてもよい。
【００３６】
また、物品は、化粧品組成物を含有するハウジングを有する本体を含むケースを含んでいてもよく、布は化粧品組成物の上方に配設されており、ケースは、ケースの漏れない閉鎖を可能にするために、本体と協働するように設計されている蓋部を含む。
【００３７】
変形形態として、化粧用物品は化粧品組成物アプリケータを形成している。この場合、物品はパッドまたはパウダーパフを形成し得る。そして、物品は洗浄可能とすることができる。変形形態として、アプリケータは把持部に固定されている。化粧品組成物は液体または粉末、好ましくは液体であってもよい。
【００３８】
実施形態に関係なく、布は単層の布（single-layer fabric）であることが有利である。布は、布の裏側から下位のフィラメントに直接接続されていないことが好ましい。布の裏面は自由であってもよく、すなわち織ることもしくは編むことにより下位の層または構造物に接続されていなくてもよい。他方、１つの特定の実施形態では、布は、前述の通り、自体がフィラメントにより別の層に接続されている層を覆っていてもよく、さもなければ布はこれらのフィラメントに接続されていない。
【００３９】
本発明のさらなる特徴および利点が、その非限定的例示的実施形態の次の詳細な説明を読むことにより、また添付図面を調べることにより、明らかになるであろう。
【図面の簡単な説明】
【００４０】
【図１】本発明によるケースの一例の概略斜視図である。
【図２】本発明によるケースの別の例による断面図である。
【図３】本発明による物品の布の一例の概略断面図である。
【図４】本発明による物品の布の一例の塗布表面、取出し表面、または分配表面の図である。
【図５】本発明による物品の布の一例の概略断面図である。
【図６】本発明によるケースの別の例の図２に類似した図である。
【図７】本発明による物品の別の例を部分的にかつ概略的に示す断面図である。
【図８】本発明による物品の別の例を概略的に示す側面図である。
【図９】本発明による物品の別の例を概略的に示す側面図である。
【発明を実施するための形態】
【００４１】
説明の残りにおいて、同一要素、または同一の機能を有する要素には、同一参照符号が表示されている。本明細書を簡潔にするために、図の各々について説明せず、説明されている実施形態間の差異のみを説明する。
【００４２】
図１は、本体３を有するケース２を有する、本発明による化粧用物品１を示す。ケース２は、本例では本体３に蝶番で取り付けられている蓋部５も有する。蓋部はそれに何らかの他の方法で固定される、たとえばねじで取り付けられることがある。
【００４３】
また、ケース２は、本例では蓋部５と本体３との間の蝶番の回転軸に対して垂直な回転軸を中心として本体３に蝶番で取り付けられているアプリケータホルダ６を収容している。アプリケータはこの図に示されていない。皿部４がケース２の本体３のハウジング８内に受容されている。皿部４は化粧品組成物のリザーバを収容している。
【００４４】
本発明によれば、リザーバは、本例では、突出布地ゾーン２０と陥凹布地ゾーン３０とを備えた、弾性的に変形可能な布１５を載せている。布１５は、組成物を塗布する、取り出す、または分配するための表面１７を画定しており、布１５の表側を形成している。
【００４５】
この表面１７は、下位のリザーバ内に含有されている化粧品組成物を塗布するために設けられている。陥凹布地ゾーン３０は組成物に透過性であり、陥凹布地ゾーンが構成されているメッシュを組成物が通過することを可能にする。
【００４６】
本例では、突出布地ゾーン２０は同様に組成物に透過性であるが、陥凹布地ゾーン３０の糸密度よりも高い糸密度を有する。
【００４７】
図１に示されている通り、かつ図３〜図５の場合と同様に、布１５は、突出布地ゾーン２０により全体的に取り囲まれている複数の陥凹布地ゾーン３０を有する。陥凹布地ゾーン３０は本例ではアーモンド形状を有するが、それらの形状は様々、特に、本発明の範囲から逸脱することなく、ハニカムタイプの円形、長円形、多角形、または何らかの他の形状であり得る。
【００４８】
突出布地ゾーン２０は格子の形の規則的な幾何学的パターンを形成している。このパターンは本例では布１５の全体を占める。布１５の一部が、本発明の範囲から逸脱することなく、突出布地ゾーン２０および陥凹布地ゾーン３０により占められることがある。
【００４９】
図２の変形形態では、化粧用物品１のリザーバ１０は、フィラメント１３のセットにより共に接続されている第１の層１１と第２の層１２とを含む。そのようなリザーバは、国際公開第２０１２／１５３１３１号（特許文献２）または欧州特許出願公開第１８６３ ９５９号明細書（特許文献３）の教示の通り編むことにより製造され得る。層は合成材料を編むことにより製造される。適切であり得る布地構造の例が、「SPACER FABRICS」または「二重織り」または「二重ビロード」という名で布地用途のために販売されている。スペーサを形成しているフィラメント１３の網状物の厚さは、たとえば１ｍｍから２５ｍｍの間、さらにより良くは１０ｍｍから１５ｍｍの間である。
【００５０】
フィラメント１３はリザーバの内部に様々な配向で与えられ得る。それらは、たとえば全く同一の方向に向けられている窪みを備えて、実質的に同じ方法で曲げられていてもよい。変形形態として、フィラメントは交差していてもよく、あるフィラメントは、他のフィラメントの窪みと反対方向に向いている窪みを有する。
【００５１】
図示の通り、布１５は、第１の層１１を覆うためにそれに結合されており、たとえばそれに接着されている。
【００５２】
化粧品組成物Ｃは、同様に、図２において可視である。その大部分がリザーバ１０内に含有されており、特にそのすべてがその中に含有されている。
【００５３】
本例では、微細メッシュが布１５と共に組成物用のスクリーンを構成するように、第１の層１１は微細メッシュを有する。第１の層１１は組成物Ｃが充填されてもよく、組成物Ｃが濃厚製剤を有する場合、押圧することにより、組成物Ｃが通過することを可能にする。第２の層１２は、特に皿部４が組成物Ｃを含有している場合にリザーバ１０が皿部４内に嵌め込まれた時に、組成物Ｃが通過することをより容易にする開口部１４を備えた、より離間した構造を有する。この動作の間、リザーバ１０は皿部の底部の方向に押圧される。開口部１４の存在は、組成物が、第１の層１１と第２の層１２との間の自由空間１６内へより容易に侵入することを可能にする。
【００５４】
図２の例では、布１５は、皿部４の上方に達する環状リップ９の存在により、所定の位置に保持されている。
【００５５】
本例では、パウダーパフから成るアプリケータ７もアプリケータホルダ上に示されている。
【００５６】
自然に布１５を示す図３〜図５に示されている通り、布１５は、突出布地ゾーン２０を備えた第１の密なメッシュと、アーモンド形でありかつ突出布地ゾーン２０により互いに分離されている陥凹布地ゾーン３０により形成されている第２のそれほど密でないメッシュとを有していてもよい。突出布地ゾーン２０は本例では単一の大きい網状物を形成しており、すべて互いに接続されている。突出布地ゾーン２０は、布１５の表側である塗布表面１７側でドームに形成されており、反対側すなわち布１５の裏側１８で湾曲している。断面において、突出布地ゾーン２０は、表面１７に向かって凸状である外形、特に丸形の凸外形を形成している。図３および図５に示されている通り、陥凹ゾーン３０は平坦であり、すべて全く同一の平面内に含有されている。突出布地ゾーン２０内の糸密度は陥凹布地ゾーン３０内の糸密度よりも高い。
【００５７】
布１５の裏側１８上に突出布地ゾーンにより形成されている中空は、化粧品組成物が中に集まることができるポケット２１を形成している。
【００５８】
布１５はリバーシブルでない。布１５は、縦編み機上で実施される、解くことができる編みにより、一体に製造されることが好ましい。
【００５９】
図４に示されている通り、陥凹布地ゾーン３０は、布１５の弛緩状態において、１ｍｍから２０ｍｍの間の、それらを含有する平面内での最大寸法Ｄ１を有する。本例においてＤ１の軸に対して垂直な軸に沿って測定される、陥凹布地ゾーンの最小寸法Ｄ２は、１ｍｍから２０ｍｍの間である。
【００６０】
２つの隣接した陥凹布地ゾーン３０間の幅Ｌは１.５ｍｍから５ｍｍの間であってもよい。この幅Ｌは、図４の場合のように、水平軸に沿ってまたは角度付きの軸に沿って測定され得る。
【００６１】
図３において可視の突出布地ゾーン２０の高さｈは０.５ｍｍから８ｍｍの間である。
【００６２】
図示の例では、布１５は、７２質量%のポリアミドおよび２８質量%のエラステインで、ポリアミドおよびエラステインの超極細繊維で作製されている糸の混合物で形成されている。
【００６３】
布１５の構成材料は、図４において可視の塗布表面１７上に絹のような感触をもたらすように選択され、これはユーザにとって非常に柔らかい。この柔らかさは、問題の本例における超極細繊維の存在に関連している。
【００６４】
布１５の構成材料は、布に弾性をもたらすように選択されることが有利である。エラステインの存在は、特に、それが押圧された時、布１５の変形に有利に働く。
【００６５】
図１および図２において、布１５は、少なくとも最初の使用の後に、化粧品組成物Ｃと接触している。
【００６６】
不使用時、布１５は、第１の層１１との併用でスクリーンとしての機能を果たし、化粧品組成物が浮かび出ないようにする。さらに、図５に示されている通り、ポケット２１は、毛細管作用と組み合わせられた布地の構造により、化粧品組成物Ｃを集めるためのゾーンを形成している。
【００６７】
使用中、ユーザは表面１７に圧力をかけ、２つの同時現象が起こる。一方の部分では、伸びたメッシュが開き、図５の陥凹布地ゾーン３０を通過する上矢印で示されているように、組成物Ｃが通過することを可能にする。他方の部分では、布は伸ばされ、レリーフが平らになり、ポケット２１の不使用時に画定される容積を減少させ、これらのポケット２１内に含有されている組成物を表面上に解放する。
【００６８】
２つのタイプのゾーンＺ１およびＺ２が並列している。ゾーンＺ１は不使用時にかつ使用中に、布１５の裏側１８上に突出布地ゾーン２０により形成されているポケット２１内に組成物を収容することを可能にする。ゾーンＺ２は、組成物が陥凹布地ゾーン３０を通過するためのゾーンを形成している。
【００６９】
図６の実施形態では、布１５は、自体がこの第１の層を形成しておりかつフィラメント１３を活用して第２の層１２に接続されることが可能である第１の層１１に取って代わる。フレーム４０上でピンと張った状態にあるはずの布１５の可能性は、本例において同様に示されている。
【００７０】
図７の例では、布１５は接着により下位の構造体３５に固定されており、下位の構造体は、本例では、少なくとも使用中、化粧品組成物を含有するスポンジまたは細胞状多孔質材料の固まりにより構成されている。
【００７１】
本発明は、リザーバ内の組成物と接触する化粧用物品１に限定されない。
【００７２】
特に、図８および図９に示されている変形形態は、組成物を含浸させていない化粧品組成物アプリケータを形成するために、たとえば可視でないスポンジを覆う布１５を備えた化粧用物品１を示す。このアプリケータは、組成物で満たされた表面からまたは製品のブロックから組成物を取り出し、かつそれを手中に保持しながらそれを塗布するのに役に立つか、または、変形形態として、何らかの他の方法で塗布される組成物を混ぜ合わせるのに役立つ。
【００７３】
図８のアプリケータは全体的に柔軟性がある。図９のアプリケータは、布１５で覆われておりかつ本例では柄部を形成している、剛性のまたは半剛性の把持部２９に固定されている先端部２８を有する。
【符号の説明】
【００７４】
１  化粧用物品
２  ケース
３  本体
４  皿部
５  蓋部
６  アプリケータホルダ
７  アプリケータ
８  ハウジング
９  環状リップ
１０  リザーバ
１１  第１の層
１２  第２の層
１３  フィラメント
１４  開口部
１５  布
１６  自由空間
１７  表面、塗布表面
１８  （布１５の）裏側
２０  突出布地ゾーン
２１  ポケット
２８  先端部
２９  把持部
３０  陥凹布地ゾーン
３５  下位の構造体
４０  フレーム
Ｃ  化粧品組成物
Ｄ１  （陥凹布地ゾーン３０の）最大寸法
Ｄ２  （陥凹布地ゾーン３０の）最小寸法
ｈ  （突出布地ゾーン２０の）高さ
Ｌ  （２つの隣接した陥凹布地ゾーン３０間の突出布地ゾーン２０の部分の）幅
Ｚ１、Ｚ２  ゾーン
【図１】
2021519174.tif 000003
【図２】
2021519174.tif 000004
【図３】
2021519174.tif 000005
【図４】
2021519174.tif 000006
【図５】
2021519174.tif 000007
【図６】
2021519174.tif 000008
【図７】
2021519174.tif 000009
【図８】
2021519174.tif 000010
【図９】
2021519174.tif 000011
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
突出布地ゾーン（２０）と、前記突出布地ゾーン（２０）の間に陥凹布地ゾーン（３０）とを備えた弾性的に変形可能な布（１５）を含む化粧用物品（１）であって、前記布（１５）が、化粧品組成物（Ｃ）を塗布する、取り出す、または分配するための表面（１７）を画定し、前記陥凹布地ゾーン（３０）が、前記組成物（Ｃ）に対し透過性であることを特徴とする、化粧用物品（１）。
【請求項２】
少なくとも１つの陥凹布地ゾーン（３０）が、突出布地ゾーン（２０）によって完全に囲まれていることを特徴とする、請求項１に記載の化粧用物品。
【請求項３】
前記突出布地ゾーン（２０）は、特に格子またはハニカムの形状の、規則的な幾何学的パターンを形成していることを特徴とする、請求項１または２に記載の化粧用物品。
【請求項４】
前記陥凹布地ゾーン（３０）は、前記布の弛緩状態において、１ｍｍから２０ｍｍの間、特に、２ｍｍから７ｍｍの間または３ｍｍから６ｍｍの間の最大寸法（Ｄ１）を有していることを特徴とする、請求項１から３のいずれか一項に記載の化粧用物品。
【請求項５】
２つの隣接する陥凹布地ゾーン（３０）を分離している、前記突出布地ゾーン（２０）の部分の幅（Ｌ）が、前記布の弛緩状態において、１.５ｍｍから５ｍｍの間、特に２ｍｍから４ｍｍの間であり、前記突出布地ゾーンの高さ（ｈ）が、好ましいは、約０.２ｍｍから８ｍｍの間、特に約０.２ｍｍから３ｍｍの間であることを特徴とする、請求項１から４のいずれか一項に記載の化粧用物品。
【請求項６】
前記布（１５）は、特に、編むまたは織ることにより、好ましくは編むことにより、一体に作製されていることを特徴とする、請求項１から５のいずれか一項に記載の化粧用物品。
【請求項７】
前記布（１５）は糸で形成されており、前記突出布地ゾーン内の糸密度が、前記陥凹布地ゾーン内の糸密度よりも高いことを特徴とする、請求項１から６のいずれか一項に記載の化粧用物品。
【請求項８】
前記布（１５）が、少なくとも１つの弾性糸および少なくとも１つの非弾性糸を用いて製造されており、少なくとも１つの方向における前記布（１５）の伸び率が、好ましくは、９０%から２３０%の間であることを特徴とする、請求項１から７のいずれか一項に記載の化粧用物品。
【請求項９】
前記布（１５）が、ポリアミド、エラステイン、ポリエステル、アクリル、ビスコース、アセテートなどの合成繊維と、絹、毛、綿、麻、大麻などの天然繊維と、それらの組合せとから成る群から選択される繊維を用いて製造されている糸を含んでなり、
前記布（１５）は、好ましくは、合成繊維の混合物、特にポリアミドとエラステインとを含み、ポリアミドの質量割合が、前記布の全質量に対して、特に５０%よりも高く、好ましくは６０%よりも高く、特に７０%よりも高いことを特徴とする、請求項１から８のいずれか一項に記載の化粧用物品。
【請求項１０】
前記突出布地ゾーン（２０）は、それらのレリーフにより、前記布（１５）の裏側（１８）上にポケット（２１）を形成し、前記突出布地ゾーン（２０）は、好ましくは、断面において、前記組成物を塗布する、取り出す、または分配するための前記表面（１７）に向かって凸状であり、特に丸形の凸外形である外形を形成していることを特徴とする、請求項１から９のいずれか一項に記載の化粧用物品。
【請求項１１】
前記布（１５）が単層の布であることを特徴とする、請求項１から１０のいずれか一項に記載の化粧用物品。
【請求項１２】
前記布（１５）が、前記布（１５）の裏側（１８）から下位のフィラメントに直接接続されていないことを特徴とする、請求項１から１１のいずれか一項に記載の化粧用物品。
【請求項１３】
当該化粧用物品は、前記化粧品組成物（Ｃ）と接触し、
当該化粧用物品は、フレーム（４０）を含み、特に前記布（１５）が前記組成物（Ｃ）に押し付けられることにより前記組成物（Ｃ）が前記布（１５）を通過することができるように、前記布（１５）が、特にピンと張った状態で、前記フレーム（４０）により前記組成物（Ｃ）のリザーバ（１０）の上方に保持されており、或いは、
前記布（１５）は、特にフィラメント（１３）に形成されたスペーサにより共に結合されている第１の層（１１）と第２の層（１２）とを含むアセンブリを覆っており、前記フィラメント（１３）の端部が第１の層（１１）および第２の層（１２）にそれぞれに接続されており、前記第１の層（１１）が少なくとも前記化粧品組成物（Ｃ）に透過性であり、特に当該化粧用物品（１）が使用されている間、前記第１の層（１１）および前記第２の層（１２）は互いの間に前記組成物（Ｃ）の少なくとも一部を保持することができ、或いは、
前記布（１５）が、下位の構造体（３５）に、特に前記化粧品組成物（Ｃ）を含浸させたスポンジに、接着により固定されていることを特徴とする、請求項１から１２のいずれか一項に記載の化粧用物品。
【請求項１４】
前記化粧品組成物（Ｃ）を含有するハウジングを有する本体（３）を備えたケース（２）を含み、前記布（１５）が前記化粧品組成物（Ｃ）の上方に配設されており、前記ケース（２）が、前記本体（３）と協働するように設計されている蓋部（５）を含むことを特徴とする、請求項１から１３のいずれか一項に記載の化粧用物品。
【請求項１５】
化粧品組成物アプリケータを形成していることを特徴とする、請求項１から１２のいずれか一項に記載の化粧用物品。
【国際調査報告】
2021519174.tif 000012
2021519174.tif 000013
2021519174.tif 000014
2021519174.tif 000015